(57)【要約】【課題】送信画像とともに簡単なメッセージを余分な用紙を必要とせずに受信側に伝達すること。【解決手段】まず、コメントを取得する。次に、このコメントを示す情報を画像データの縮小画像に重ね合わせたサムネイル画像を作成する。そして、作成されたサムネイル画像を画像データに書き込む。それにより、画像とともにコメントが含まれるサムネイル画像を受信側に送り、このサムネイル画像によって受信する画像についての情報を印刷前に受信側に伝達する。【選択図】図６
2007281564.tif 000002
【特許請求の範囲】
【請求項１】
コメントを取得するコメント手段と、
前記コメントを示す情報を画像データの縮小画像に重ね合わせたサムネイル画像を作成
する作成手段と、
前記作成手段によって作成されたサムネイル画像を画像データに書き込む書込手段と、
を備えることを特徴とする画像処理装置。
【請求項２】
前記コメント手段は、オーダーシートを読み込んだ画像データを受信することにより、
前記オーダーシートの所定欄に含まれる情報を前記コメントとして取得することを特徴と
する請求項１に記載の画像処理装置。
【請求項３】
前記コメント手段は、手書き入力された情報を含むコメントを取得し、
前記作成手段は、該手書き入力された情報を前記画像データの縮小画像に重ね合わせる
ことによりサムネイル画像を作成することを特徴とする請求項２に記載の画像処理装置。
【請求項４】
前記書込手段によって書き込まれた画像データの本画像データは、前記縮小画像を持っ
たもとの画像データの本画像データと同一であることを特徴とする請求項１に記載の画像
処理装置。
【請求項５】
前記書込手段によって書き込まれた画像データを出力する出力手段をさらに有し、
前記コメントは、前記出力または出力後における前記画像データに関するコメントであ
ることを特徴とする請求項１に記載の画像処理装置。
【請求項６】
コメントを取得するコメント工程と、
前記コメントを示す情報を画像データの縮小画像に重ね合わせたサムネイル画像を作成
する作成工程と、
前記作成工程によって作成されたサムネイル画像を画像データに書き込む書込工程と、
を含むことを特徴とする画像処理方法。
【請求項７】
コメントを取得させるコメント工程と、
前記コメントを示す情報を画像データの縮小画像に重ね合わせたサムネイル画像を作成
させる作成工程と、
前記作成工程によって作成されたサムネイル画像を画像データに書き込ませる書込工程
と、
をコンピュータに実行させることを特徴とする画像処理プログラム。
【発明の詳細な説明】
【技術分野】
【０００１】
この発明は、画像処理装置のストレージを用いてオーダーシートを管理し、このオーダ
ーシートを用いて作成された情報を発信するデータ処理に関する。
【背景技術】
【０００２】
送信側の端末が受信側の端末に画像を伝送するファクシミリ伝送では、送信側端末で取
得した画像を音声信号に変換し、音声通信回線を利用して受信側端末に伝送することが行
われている。この音声通信回線としては、従来から使用されてきた通常の電話網の他に、
近年ではインターネットを利用した電話網（ＩＰ電話網）が使用されるようになってきた
。そして、ＩＰ電話網による音声信号の伝送を利用し、ネットワークを介してファクシミ
リ伝送するファクシミリ伝送装置が提案されている（例えば、特許文献１参照。）。
【０００３】
【特許文献１】特開２００３−３０９７０１号公報
【発明の開示】
【発明が解決しようとする課題】
【０００４】
上述したこのようなファクシミリ装置においては、通信制御装置を装着して、装着され
た通信制御装置により通信を制御するものがあり、ここで装着された通信制御装置はハー
ドウェアキーとして使用されるものもあるが、この通信制御装置内にメモリを設けておき
、このメモリを介してデータを処理するものも考えられる。さらに、このメモリにオーダ
ーシートを格納して、このオーダーシートを用いてデータの発信処理をするものも考えら
れる。
【０００５】
しかし、画像などを送信する場合に、受け取った画像のみをそのまま受信して印刷する
場合、誤った用紙のサイズで印刷してしまい、インクおよび用紙を無駄にしてしまう場合
があるという問題があった。また、用紙のサイズのほかにも、画像を送信するにあたって
送信側の意図が伝わらない形で受信する場合がある。こうした意図を伝えるべく、さらに
用紙を１枚使ってメッセージを送信することもできるが、それでは対応できない場合もあ
った。
【０００６】
たとえば、用紙の最初にカバーレターとしてそうしたメッセージを書き込んでいても、
２枚目以降のデータをそのまま連続して受信してしまうので、意図を反映した形でデータ
を受信、印刷することができなかった。また、カバーレターに記入すれば足りるメッセー
ジであっても、あえて１枚余分に印刷しなくても、受信側に液晶画面がある場合にはその
画面で確認できるような簡単なメッセージを送信したい場合があり、その場合は印刷する
のは無駄ということになってしまうという問題が挙げられる。
【０００７】
この発明は、上述した従来技術による問題点を解消するため、送信画像とともに簡単な
メッセージを余分な用紙を必要とせずに受信側に伝達できる画像処理装置、画像処理方法
および画像処理プログラムを提供することを目的とする。
【課題を解決するための手段】
【０００８】
上述した課題を解決するため、本発明にかかる画像処理装置は、コメントを取得するコ
メント手段と、前記コメントを示す情報を画像データの縮小画像に重ね合わせたサムネイ
ル画像を作成する作成手段と、前記作成手段によって作成されたサムネイル画像を画像デ
ータに書き込む書込手段と、を備えることを特徴とする。
【０００９】
この場合、画像とともにコメントが含まれるサムネイル画像が受信側に送られるので、
このサムネイル画像によって受信する画像についての情報を事前に知ることができる。た
とえば用紙サイズについてのコメントが事前に通知された場合、印刷前に用紙サイズを確
認することができるので、誤ったサイズで印刷するという無駄を回避することができる。
【００１０】
また、前記コメント手段は、オーダーシートを読み込んだ画像データを受信することに
より前記オーダーシートの所定欄に含まれる情報を前記コメントとして取得してもよい。
【００１１】
この場合、オーダーシートによりコメントを入力することができるので、文章をキーボ
ードから入力したり操作入力によりコメント入力したりすることなく、紙面上から所望の
コメントを指定することができる。
【００１２】
また、前記コメント手段は、手書き入力された情報を含むコメントを取得し、前記作成
手段は、該手書き入力された情報を前記画像データの縮小画像に重ね合わせることにより
サムネイル画像を作成してもよい。
【００１３】
この場合、あらかじめ定められたコメントから選択するだけでなく、ユーザの意図に沿
ったコメントを入力することができる。また、画像中の特定の箇所を指定したり、受信側
への柔軟な指示入力を可能とすることができる。
【００１４】
また、前記書込手段によって書き込まれた画像データの本画像データは、前記縮小画像
を持ったもとの画像データの本画像データと同一であるとしてもよい。
【００１５】
また、前記書込手段によって書き込まれた画像データを出力する出力手段をさらに有し
、前記コメントは、前記出力または出力後における前記画像データに関するコメントであ
るとしてもよい。
【００１６】
また、本発明にかかる画像処理方法は、コメントを取得するコメント工程と、前記コメ
ントを示す情報を画像データの縮小画像に重ね合わせたサムネイル画像を作成する作成工
程と、前記作成工程によって作成されたサムネイル画像を画像データに書き込む書込工程
と、を含むことを特徴とする。
【００１７】
この場合、画像とともにコメントが含まれるサムネイル画像が受信側に送られるので、
このサムネイル画像によって受信する画像についての情報を事前に知ることができる。た
とえば用紙サイズについてのコメントが事前に通知された場合、印刷前に用紙サイズを確
認することができるので、誤ったサイズで印刷するという無駄を回避することができる。
【００１８】
また、本発明にかかる画像処理プログラムは、コメントを取得させるコメント工程と、
前記コメントを示す情報を画像データの縮小画像に重ね合わせたサムネイル画像を作成さ
せる作成工程と、前記作成工程によって作成されたサムネイル画像を画像データに書き込
ませる書込工程と、をコンピュータに実行させることを特徴とする。
【００１９】
この場合、画像とともにコメントが含まれるサムネイル画像が受信側に送られるので、
このサムネイル画像によって受信する画像についての情報を事前に知ることができる。た
とえば用紙サイズについてのコメントが事前に通知された場合、印刷前に用紙サイズを確
認することができるので、誤ったサイズで印刷するという無駄を回避することができる。
【発明を実施するための最良の形態】
【００２０】
以下に添付図面を参照して、この発明にかかる画像処理装置、画像処理方法および画像
処理プログラムの好適な実施の形態を詳細に説明する。
【００２１】
図１は、ネットワークを構成する情報処理システムの構成を示すブロック図である。図
１では、送信側の情報処理システムについて説明しているが、受信側の情報処理システム
の構成も、送信側の情報処理システムと同様である。
【００２２】
この情報処理システムは、複合機１００が、画像処理装置の一適用例である通信制御装
置（ドングル）１８０を介して、インターネット１８２に接続されることによって構成さ
れている。送信側はこのようにインターネット１８２を介してデータを送信し、同様に構
成された受信側が、インターネット１８２から通信制御装置１８０を介して複合機１００
でデータを受信する。
【００２３】
複合機１００は、中央処理装置（ＣＰＵ）１０２と、ＲＡＭ１０４と、ＲＯＭ１０６と
、プリントエンジン１１０と、スキャンエンジン１２０と、ＵＳＢデバイス制御部１３０
と、ＵＳＢホスト制御部１７０と、メモリカードインターフェース１４０と、操作パネル
制御部１５０と、ビューワ制御部１６０と、を備えている。ＲＯＭ１０６には、複合機１
００の制御ソフトウェアが格納されている。中央処理装置１０２は、ＲＯＭ１０６に格納
された制御ソフトウェアを実行することにより、複合機１００が有する種々の機能を実現
する。
【００２４】
複合機１００のＵＳＢデバイス制御部１３０は、ＵＳＢコネクタ１３２に接続されてい
る。このＵＳＢコネクタ１３２には、パーソナルコンピュータ（ＰＣ）１９０が接続され
ている。なお、ＵＳＢコネクタ１３２には、パーソナルコンピュータ１９０の他に、任意
のＵＳＢホストを接続することが可能である。ＵＳＢホスト制御部１７０は、ルートハブ
１７２を有しており、ルートハブ１７２にはＵＳＢコネクタ１７４が接続されている。こ
のＵＳＢコネクタ１７４には、デジタルカメラやハードディスクドライブ（ＨＤＤ）等の
ＵＳＢデバイスを接続することが可能である。
【００２５】
メモリカードインターフェース１４０は、メモリカード用のメモリカードスロット１４
２に接続されている。操作パネル制御部１５０には、入力手段としての操作パネル１５２
が接続されている。ビューワ制御部１６０には、画像表示手段としてのビューワ１６２が
接続されている。ユーザは、ビューワ１６２上に表示された画像やメニューを観察しなが
ら、操作パネル１５２を用いて種々の指示を入力することができる。
【００２６】
プリントエンジン１１０は、与えられた印刷データに応じて印刷を実行する印刷機構で
ある。プリントエンジン１１０に供給される印刷データは、中央処理装置１０２が、ＵＳ
Ｂコネクタ１３２を介して接続された外部のパーソナルコンピュータ１９０から供給され
る受信データを解釈し、色変換やハーフトーン処理を実行することにより生成される。プ
リントエンジン１１０に供給される印刷データは、メモリカードスロット１４２に挿入さ
れたメモリカードに格納された画像データや、ＵＳＢコネクタ１７４を介して接続された
デジタルスチルカメラから供給される画像データから生成することも可能である。また、
中央処理装置１０２の代わりにプリントエンジン１１０が色変換やハーフトーン処理の機
能を有するように構成することも可能である。なお、本明細書において、画像データから
生成した印刷データにより印刷を実行することを「画像データを印刷する」ともいう。
【００２７】
スキャンエンジン１２０は、画像をスキャンして画像を表すスキャンデータを生成する
機構である。スキャンエンジン１２０で生成されたスキャンデータは、中央処理装置１０
２により所定の形式（例えば、ＪＰＥＧ形式）の画像データ（スキャン画像データ）に変
換される。スキャン画像データは、パーソナルコンピュータ１９０に転送される。スキャ
ン画像データを、メモリカードスロット１４２に挿入されたメモリカードや、ＵＳＢコネ
クタ１７４を介して接続されたデバイスに格納することも可能である。なお、中央処理装
置１０２の代わりにスキャンエンジン１２０がスキャンデータから画像データを生成する
機能を有するように構成することも可能である。
【００２８】
通信制御装置１８０は、ＵＳＢコネクタ１７４によって複合機１００に接続される。そ
してその一方からインターネット１８２を介してファックスデータを送信する。この通信
制御装置１８０によって、後述する画像処理を実行する。なお、この通信制御装置１８０
は、複合機１００と一体になっていてもよい。
【００２９】
図２は、通信制御装置の各操作部および接続部を説明する説明図である。この通信制御
装置１８０は、接続端子２１０および接続端子２２０を備え、さらに、ランプ２３０、操
作部２４０〜２７０によって構成される。接続端子２１０は、図１に示した複合機１００
に接続する端子である。接続端子２２０は、図１に示したインターネット１８２へと接続
する端子である。ランプ２３０は、接続したファイルをメモリカードにコピーする場合に
、コピー操作を促すよう点灯させるランプである。
【００３０】
操作部２４０（Ａボタン）は、送信用意を指示する指示ボタンである。このＡボタンを
押すことにより、通信制御装置１８０は、データの送信用意の処理を開始する。操作部２
５０（Ｂボタン）は、送信開始を指示する指示ボタンである。このＢボタンを押すことに
より、通信制御装置１８０は、データの送信開始の処理を開始する。操作部２６０（Ｃボ
タン）は、オーダーシート印刷を指示する指示ボタンである。このＣボタンを押すことに
より、通信制御装置１８０は、オーダーシート印刷の処理を開始する。操作部２７０は、
電源ボタンである。この電源ボタンを押すことにより、電源を投入したり切断したりする
。
【００３１】
ダイヤルボタン２８０は、数字を入力するボタンである。たとえば、ファクシミリ送信
で相手先の電話番号を入力するとき、このダイヤルボタン２８０上の数字ボタンを入力す
ることにより受け付ける。液晶画面２９０は、液晶による画面表示部である。この液晶画
面２９０を用いて、たとえばファクシミリの送受信先を表示したり、送受信する画像のサ
ムネイル画像を表示したりする。
【００３２】
図３は、通信制御装置の機能的構成を示すブロック図である。通信制御装置１８０は、
入出力部３００、ＵＳＢコントローラ３１０、ストレージ３２０から構成されている。通
信制御装置１８０は、ＵＳＢインタフェースにより外部と接続されるがこれに限定される
ものではなく、その他のインタフェースを用いても良い。
【００３３】
この入出力部３００は、ＵＳＢインタフェース回路から構成されており、データ転送を
制御する。即ち、入出力部３００は、複合機１００からＵＳＢコネクタ１７４を介して送
られてきたデータを受信してＵＳＢコントローラ３１０に送ると共に、このデータを送信
する制御を行う。
【００３４】
ＵＳＢコントローラ３１０は、例えばＣＰＵから構成されており、ストレージ３２０へ
のデータの格納処理やストレージ３２０からのデータの読み出し処理を実行したり、ドン
グルデータの暗号化及び復号化等をしたりする。ストレージ３２０は、例えばＥＥＰＲＯ
Ｍから構成され、データを格納する。
【００３５】
図４は、オーダーシートの概要を説明する説明図である。図４に示すオーダーシートは
、識別部４０５と、宛先入力部４１０と、画像選択部４２０と、送付コメント部４３０に
よって構成され、各部に対応した内容がそれぞれ印刷されており、それぞれマークシート
により塗りつぶすことにより記入できるようになっている。
【００３６】
識別部４０５は、位置あわせ用マークおよび識別用マークが書き込まれる欄である。な
お、この位置あわせ用マークおよび識別用マークは視覚的に分かるように印刷されるわけ
ではない。すなわち、スキャンした後にどの位置が黒いとどのチェックをされたのかを判
断するための情報、異なる内容で複数のオーダーシートを印刷してスキャンしたときにど
のオーダーシートか判断するための情報が書き込まれる欄である。
【００３７】
宛先入力部４１０は、宛先を入力する欄である。宛先としては、事前にＡ氏、Ｂ氏、Ｃ
氏が登録されている場合を例に挙げているが、この宛先それぞれについて、グループ１〜
３を指定できるようになっている。また、事前に登録されていない番号を記入することも
でき、その場合は、宛先の下に用意されている「その他」の欄に数字をマークシートで記
入することができる。
【００３８】
画像選択部４２０は、宛先に送信する画像を選択する欄である。画像としては、画像Ａ
、画像Ｂ、画像Ｃが用意されており、そのそれぞれをグループ１〜３に送信するよう指定
することができる。具体的には、画像Ａの下にはグループ１〜３宛の欄があり、そのいず
れかまたは複数を選択することにより、宛先を指定することができる。
【００３９】
送付コメント部４３０は、送付コメントを選択して指定する欄である。送付コメントは
、事前に用意された複数のコメントから該当するものを指定してマークすることができる
。具体的には、「Ｌ版で印刷してください」「Ａ４で印刷してください」「写真用紙で印
刷してください」「普通紙で印刷してください」「きれいに印刷してください」「お約束
の写真です」「（自分の名前）です」、というコメントから指定することができる。この
「（自分の名前）です」の（自分の名前）には、そこに登録されているユーザの名前が入
力される。また、フリーコメントを選択することもでき、この場合、手書き入力エリアに
文字を入力し、この文字を送ることによりメッセージを伝達することができる。
【００４０】
図５は、オーダーシートを印刷する印刷処理を説明するフローチャートである。図２に
示したＡボタンが入力された場合、処理を開始する。まず、ストレージ接続する（ステッ
プＳ５０１）。すなわち、通信制御装置１８０をストレージとして接続する。次に、デー
タを受信する（ステップＳ５０２）。なお、ここで受信したデータには画像データも含ま
れ、この画像データは、図４に示した画像選択部４２０に示される画像Ａ〜画像Ｃとして
用いられる。そして、Ｃボタンの入力を待つ（ステップＳ５０３）。Ｃボタンが入力され
ない場合（ステップＳ５０３：Ｎｏ）、入力されるまで待つ。Ｃボタンが入力された場合
（ステップＳ５０３：Ｙｅｓ）、ストレージ接続を切断する（ステップＳ５０４）。
【００４１】
次に、オーダーシートを作成する（ステップＳ５０５）。次に、複合機１００との間で
カメラとして接続する（ステップＳ５０６）。そして、複合機１００においてオーダーシ
ート印刷を実行する（ステップＳ５０７）。オーダーシート印刷を実行後は、通信制御装
置１８０と複合機１００との通信関係を切断する（ステップＳ５０８）。そして、データ
を消去し（ステップＳ５０９）、一連の処理を終了する。
【００４２】
なお、作成されたオーダーシートを印刷するために作成した画像データを消去するが、
識別部４０５の情報に相当する、スキャン後に利用するための位置合わせなどのマークに
ついてのデータや、チェック内容が何を意味するのかを示す制御データは消去しない。ま
た、ステップＳ５０２で取得したデータも削除しない。消去処理については以下同様とす
る。以上のようにしてオーダーシートを読み出してきて印刷することができるので、印刷
したオーダーシートに記入して送信することによりオーダーを実行できる。
【００４３】
図６は、オーダーシートの送信処理を説明するフローチャートである。図２に示したＡ
ボタンが入力された場合、処理を開始する。まず、複合機１００との間でストレージ接続
する（ステップＳ６０１）。次に、データ受信する（ステップＳ６０２）。
【００４４】
その後、図２に示したＢボタンが入力されるのを待つ（ステップＳ６０３）。入力され
ない場合（ステップＳ６０３：Ｎｏ）、入力されるまで待機し、入力された場合（ステッ
プＳ６０３：Ｙｅｓ）、通信制御装置１８０と複合機１００との通信関係を切断する（ス
テップＳ６０４）。そして、オーダーシート検索を実行する（ステップＳ６０５）。すな
わち、ストレージ３２０に記憶されている中から、オーダーシートの情報を検索して抽出
する。
【００４５】
そして、オーダーシート分析を実行する（ステップＳ６０６）。ここで、オーダーシー
トの記入欄に何がマークされているかを分析し、マークされている情報を抽出する。そし
て、送信ファイルを作成する（ステップＳ６０７）。そして、オーダーシート以外を送信
する（ステップＳ６０８）。すなわち、ここで抽出されたマークされた情報および必要な
画像データなどの実質的な情報を送信する。そして、一連の処理を終了する。
【００４６】
図７は、送信ファイルの構成を説明する説明図である。作成される送信ファイルは、ヘ
ッダ７０１、サムネイル画像７０２、本画像７０３によって構成される。ヘッダ７０１は
、宛先のアドレスやファックスの番号など宛先情報、作成日時を含む。サムネイル画像７
０２は、小型ディスプレイなどで表示するために本画像７０３を縮小したものである。さ
らに、オーダーシートの送付コメント欄で指定したコメントの画像を重ね合わせたものを
サムネイル画像として作り直したものとして持っておくことができる。本画像７０３は、
送信、印刷の対象となる画像であり、たとえばＪＰＥＧの画像ファイルとしてもっておく
ことができる。
【００４７】
図８は、送信ファイルの第１の例を示す説明図である。図７に示した送信ファイルは、
ヘッダ７０１、サムネイル画像７０２、本画像７０３によって構成されるが、図８の例で
は、これがそれぞれヘッダ８０１、サムネイル画像８０２、本画像８０３として構成され
る。ヘッダ８０１には、元の画像に書かれていた情報がそのまま書かれている。すなわち
、画像の撮影日時、撮影カメラ名、絞り値、シャッタースピードなどの情報が書かれてい
る。
【００４８】
サムネイル画像８０２では、本画像８０３の画像を縮小したものに、送付コメントを画
像化したものが書き込まれる。ここでは、オーダーシートで「Ｌ版で印刷してください」
を選択した場合の例を示している。これは、図４に示した送付コメント部４３０の該当す
る欄をマークすることにより選択することができる。そして、このマークされた欄を識別
することにより、コメント内容が認識される。そして、サムネイル画像８０２に示される
ようにコメントが書き込まれる。また、本画像８０３は、たとえばＪＰＥＧなどの印刷対
象となる画像そのものとなる。
【００４９】
図９は、送信ファイルの第２の例を示す説明図である。図７に示した送信ファイルは、
ヘッダ７０１、サムネイル画像７０２、本画像７０３によって構成されるが、図９の例で
は、これがそれぞれヘッダ９０１、サムネイル画像９０２、本画像９０３として構成され
る。ヘッダ９０１には、宛先番号と作成日時が書き込まれる。
【００５０】
サムネイル画像９０２では、本画像９０３の画像を縮小したものに、送付コメントを画
像化したものが書き込まれる。ここでは、オーダーシートで「お約束の写真です」を選択
した場合の例を示している。これは、図４に示した送付コメント部４３０の該当する欄を
マークすることにより選択することができる。そして、このマークされた欄を識別するこ
とにより、コメント内容が認識される。そして、サムネイル画像９０２に示されるように
コメントが書き込まれる。また、本画像９０３は、たとえばＪＰＥＧなどの印刷対象とな
る画像そのものとなる。
【００５１】
図１０は、送信ファイルの第３の例を示す説明図である。図７に示した送信ファイルは
、ヘッダ７０１、サムネイル画像７０２、本画像７０３によって構成されるが、図１０の
例では、これがそれぞれヘッダ１００１、サムネイル画像１００２、本画像１００３とし
て構成される。ヘッダ１００１には、宛先番号と作成日時が書き込まれる。
【００５２】
サムネイル画像１００２では、本画像１００３の画像を縮小したものに、送付コメント
を画像化したものが書き込まれる。ここでは、オーダーシートでフリーコメントによる記
入を選択した場合の例を示している。これは、図４に示した送付コメント部４３０の該当
する欄をマークし、その上で手書きのコメントを記入することにより入力することができ
る。サムネイル画像１００２では、「ここに注意」というコメントと、写真中に印が書き
込まれている。そして、サムネイル画像１００２に示されるようにコメントが書き込まれ
る。これにより、写真中の印をつけた部分に注目すべきことが受信側で知ることができる
。また本画像１００３は、たとえばＪＰＥＧなどの印刷対象となる画像そのものとなる。
【００５３】
上述の説明において、画像処理装置として使用される通信制御装置１８０を、ストレー
ジやカメラとして接続する例を挙げて説明したが、適用される接続形式はこれらのものに
限らない。複合機１００からデータを保存することができる形式であれば、ストレージと
は限らない。また、複合機１００に画像を印刷させることができる場合はカメラとは限ら
ない。また、カメラとして接続、というのはＵＳＢダイレクト（登録商標）やピクトブリ
ッジ（登録商標）の規格で接続してもよい。また、プリンタによって内部のデータを管理
させることができる場合、管理可能な形式で接続することも考えられる。
【００５４】
以上説明したように、画像とともにコメントが含まれるサムネイル画像が受信側に送ら
れるので、このサムネイル画像によって受信する画像についての情報を事前に知ることが
できる。たとえば用紙サイズについてのコメントが事前に通知された場合、印刷前に用紙
サイズを確認することができるので、誤ったサイズで印刷するという無駄を回避すること
ができる。
【００５５】
たとえば液晶パネルによりサムネイル画像を確認することができる装置を使用する場合
、実際に印刷する前にコメントを見ることができ、または受信側がサムネイル画像を先に
印刷する仕組みの場合は、いったんサムネイル画像を印刷することで、本画像の印刷前に
コメントを確認することができる。また、実際に印刷するときには本画像を用いるので、
サムネイルにコメントが付加されている場合でも、コメントが付加されていない元の画像
で印刷することができる。
【００５６】
また、送信側からたとえば印刷用紙サイズのコメントを送ることで、受信側が簡単にど
のサイズの用紙を準備すればよいのかを知ることができる。また、受信側がコメントのサ
イズで印刷することを望まない場合には、印刷のサイズが強制的に決められるのではなく
、サイズを知った上で他のサイズを選択して印刷することもできる。
【００５７】
なお、本実施の形態で説明した画像処理方法は、予め用意されたプログラムをパーソナ
ルコンピュータやワークステーション等のコンピュータで実行することにより実現するこ
とができる。このプログラムは、ハードディスク、フレキシブルディスク、ＣＤ−ＲＯＭ
、ＭＯ、ＤＶＤ等のコンピュータで読み取り可能な記録媒体に記録され、コンピュータに
よって記録媒体から読み出されることによって実行される。またこのプログラムは、イン
ターネット等のネットワークを介して配布することが可能な伝送媒体でもよい。
【図面の簡単な説明】
【００５８】
【図１】ネットワークを構成する情報処理システムの構成を示すブロック図。
【図２】通信制御装置の各操作部および接続部を説明する説明図。
【図３】通信制御装置の機能的構成を示すブロック図。
【図４】オーダーシートの概要を説明する説明図。
【図５】オーダーシートを印刷する印刷処理を説明するフローチャート。
【図６】オーダーシートの送信処理を説明するフローチャート。
【図７】送信ファイルの構成を説明する説明図。
【図８】送信ファイルの第１の例を示す説明図。
【図９】送信ファイルの第２の例を示す説明図。
【図１０】送信ファイルの第３の例を示す説明図。
【符号の説明】
【００５９】
１００  複合機、１０２  ＣＰＵ、１０４  ＲＡＭ、１０６  ＲＯＭ、１８０  通信制
御装置、２１０  接続端子、２２０  接続端子、３００  入出力部、３１０  ＵＳＢコン
トローラ、３２０  ストレージ
【図１】
2007281564.tif 000003
【図２】
2007281564.tif 000004
【図３】
2007281564.tif 000005
【図４】
2007281564.tif 000006
【図５】
2007281564.tif 000007
【図６】
2007281564.tif 000008
【図７】
2007281564.tif 000009
【図８】
2007281564.tif 000010
【図９】
2007281564.tif 000011
【図１０】
2007281564.tif 000012